(57)【要約】【課題】入力画像に応じて走査線変換して劣化画像を改善する。【解決手段】入力映像信号を第１の走査線方式から第２の走査線方式に変換する第１の走査線変換器と、上記第１の走査線変換器で上記第２の走査線方式に変換された映像信号が供給され、輝度信号と色信号の信号処理を行う信号処理部と、上記信号処理部から供給された映像信号を上記第１の走査線方式の映像信号に変換する第２の走査線変換器と、上記入力映像信号のフォーマットと該入力映像信号の撮影時におけるフォーマットを識別して、上記撮影時のフォーマットが上記第２のフォーマットで上記入力映像信号が上記第１のフォーマットのとき、上記第１と第２の走査線変換器と上記信号処理部の動作を制御する制御手段とを有し、劣化したプログレッシブ信号の画質を向上する。【選択図】図１
2008099091.tif 000002
【特許請求の範囲】
【請求項１】
走査線変換器を有するテレビジョン受像機において、
入力映像信号を第１の走査線方式から第２の走査線方式に変換する第１の走査線変換器と、
上記第１の走査線変換器で上記第２の走査線方式に変換された映像信号が供給され、輝度信号と色信号の信号処理を行う信号処理部と、
上記信号処理部から供給された映像信号を上記第１の走査線方式の映像信号に変換する第２の走査線変換器と、
上記入力映像信号のフォーマットと該入力映像信号の撮影時におけるフォーマットを識別して、上記撮影時のフォーマットが上記第２のフォーマットで上記入力映像信号が上記第１のフォーマットのとき、上記第１と第２の走査線変換器と上記信号処理部の動作を制御する制御手段と
を有するテレビジョン受像機。
【請求項２】
上記テレビジョン受像機は、上記第１の走査線変換器を含んで映像信号に対して高画質化処理を行う高画質化処理手段および表示装置を駆動するための表示駆動手段および制御手段を有し、
上記第１の走査線変換器は、入力映像信号がインターレース方式のときプログレッシブ方式に変換し、
上記高画質化処理手段機は、上記第１の走査線変換器から出力されるプログレッシブ方式の映像信号に対して高画質化処理を行うとともに、
上記第２の走査線変換器は、プログレッシブ方式の入力映像信号をインターレース方式の映像信号に変換し、
上記制御手段は、上記入力映像信号のフォーマットと撮影時のフォーマットを識別して、上記入力映像信号がＨＤフォーマットで上記撮影時のフォーマットもＨＤフォーマットのとき、上記第２の走査線変換器による処理を迂回させるよう制御し、上記入力映像信号がＨＤフォーマットで、上記撮影時のフォーマットがＳＤフォーマットのとき、上記第２の走査線変換器と上記高画質化処理手段による処理がなされるように制御し、上記入力映像信号がＳＤフォーマットのとき、上記第２の走査線変換による処理を迂回させるよう制御する
請求項１記載のテレビジョン受像機。
【請求項３】
上記テレビジョン受像機はさらに複数の入力映像信号および複数の入力音声信号に対して操作に応じて所定の入力映像信号および入力音声信号を選択して出力する信号切り替え回路を有する
請求項１記載のテレビジョン受像機。
【請求項４】
上記テレビジョン受像機は放送信号を受信して復調するとともに、復調した信号を映像信号、音声信号、およびデータ信号に復号するチューナーを有する
請求項１記載のテレビジョン受像機。
【請求項５】
上記制御手段は、上記チューナーにより復号されたデータ信号に基づく電子情報ガイドを用いて上記撮影時のフォーマットを識別する請求項３記載のテレビジョン受像機。
【請求項６】
上記映像信号にメニューを重畳表示するための画像処理を行う多画面生成回路を有し、
該多画面生成回路からの出力信号に基づき表示画面に表示されるメニューのうちで走査線変換処理に関する項目が選択されると上記制御手段は、上記電子情報ガイドを用いて上記高画質化処理手段と第２の走査線変換器の動作を制御する
請求項４記載のテレビジョン受像機。
【請求項７】
上記テレビジョン受像機は外部機器から復調信号を入力する端子を有するとともに、上記多画面生成回路は、上記映像信号と上記復調信号とを同一画面上に表示するための画像処理を行う
請求項５記載のテレビジョン受像機。
【請求項８】
フォーマット変換の複数の処理方法の一つを選択するステップと、
上記フォーマット変換処理が選択された結果、自動変換動作のとき入力映像信号のフォーマットを識別するステップと、
上記フォーマットを識別した結果、上記フォーマットが上記第１のフォーマットのとき、電子情報ガイドを参照し、上記入力映像信号に対応する撮影時の映像信号のフォーマットを識別するステップと、
上記撮影時の映像信号のフォーマットを識別した結果、上記フォーマットが第２のフォーマットのとき、上記第１のフォーマットから第２のフォーマットに変換する処理がなされるよう制御するステップと、
上記第２のフォーマットに変換された映像信号を上記第１のフォーマットに変換する変換処理を含む高画像化処理されるよう制御するステップと
を有する画像処理方法。
【請求項９】
入力映像信号がインターレース方式のときプログレッシブ方式の映像信号に変換する第１の走査線変換処理を含み、該第１の走査線変換処理により変換されたプログレッシブ方式の映像信号に対して高画質化処理を行う高画質化処理手段であって、入力映像信号がプログレッシブ方式のとき迂回される高画質化処理手段を有する表示装置における画像処理方法であって、
フォーマット変換の複数の処理方法の一つを選択するステップと、
上記走査線変換処理を自動的に行う選択がなされたとき、入力映像信号のフォーマットを識別するステップと、
上記フォーマットを識別した結果、上記フォーマットが上記第１のフォーマットのとき、電子情報ガイドを参照し、上記入力映像信号に対応する撮影時の映像信号のフォーマットを識別するステップと、
上記撮影時の映像信号のフォーマットを識別した結果、上記フォーマットが第２のフォーマットのとき、上記第１のフォーマットから第２のフォーマットに変換する処理がなされるよう制御するステップと、
上記第２のフォーマットに変換された映像信号を上記第１のフォーマットに変換する変換処理を含む高画像化処理されるよう制御するステップと
を有する画像処理方法。
【請求項１０】
上記走査線変換処理に関する複数の処理方法の選択は、表示画面のメニューを選択して行われる
請求項９記載の画像処理方法。
【請求項１１】
上記フォーマットの識別には、電子情報ガイドが用いられる
請求項９記載の画像処理方法。
【請求項１２】
上記選択により自動変換動作が選択されないとき、上記入力映像信号をプログレッシブ方式からインターレース方式への変換を停止するステップを有する
請求項９記載の画像処理方法。
【発明の詳細な説明】
【技術分野】
【０００１】
本発明は、Ｉ／Ｐ（Ｉｎｔｅｒｌａｃｅ／Ｐｒｏｇｒｅｓｓｉｖｅ；インターレース／プログレッシブ）変換を用いた高画質化処理を行うテレビジョン信号の画像処理方法およびテレビジョン受像機に関する。
【背景技術】
【０００２】
近年、地上デジタル放送が本格化し、アナログ放送受信用のチューナー（Ｔｕｎｅｒ）とともに地上デジタル放送用のチューナーを搭載したテレビジョン受像機やハードディスク（Ｈａｒｄ  Ｄｉｓｃ）レコーダーも比較的安価に手に入れることができるので、家庭への普及率も上昇している。
アナログ放送は、インターレース方式で水平×垂直解像度が４８０×７２０本などのＳＤ(Ｓｔａｎｄａｒｄ  Ｄｉｆｉｎｉｔｉｏｎ)フォーマットで撮影されたテレビプログラムが放送局から送信されている。この場合テレビジョン受像機には、倍速変換やノイズリダクションをはじめＳＤフォーマットの信号をＨＤフォーマットの信号に近い画質に作り変えるディジタル・リアリティ・クリエーション回路など様々な高画像処理を行う画像処理回路が備えられている。
地上デジタル放送として送出されるのは、水平×垂直解像度が７２０×４８０本のプログレッシブ方式または、１９２０×１０８０本のインターレース方式のＨＤ(Ｈｉｇｈ  Ｄｅｆｉｎｉｔｉｏｎ)フォーマットで撮影されたテレビプログラムであり、これらはＳＤフォーマットに比べて高画質とされるので、これらの画像処理回路をバイパスして表示されるように制御される。しかしながら、地上デジタル放送には、ＳＤフォーマットで撮影されたテレビプログラムをプログレッシブ方式に変換したもの(以後、変換フォーマットと呼ぶ)も未だ少なくなく、その画像はとても高画質とはいい難く、このようなテレビプログラムの場合に地上デジタル放送の利点といえばゴーストを代表とするノイズが除去される程度である。このため、アナログ放送に対しては、画像改善処理が行われる一方で、ＳＤフォーマットで撮影され、走査線変換されてプログレッシブ方式の映像信号としてチューナーに入力されると、プログレッシブ方式の映像信号は、高画質とみなされるため画像改善処理が行われない。そのため、地上デジタル放送に対応した機器を用いたほうがアナログ放送だけを前提とした受信機と比較して画質が劣るといった逆転現象も起り得る。
【０００３】
特許文献１には、プログレッシブ方式の映像信号の走査線を間引いてインターレース方式の映像信号に変換するＰ／Ｉ変換装置とその逆のＩ／Ｐ変換装置が開示されている。
特にこの特許文献１の映像信号処理装置は、不図示のＩ／Ｐ変換部、合成部、Ｐ／Ｉ（プログレッシブ／インターレース）変換部で構成されている。
Ｉ／Ｐ変換部では、入力されたインターレース方式の映像信号をプログレッシブ方式の映像信号に変換して出力する。合成部は、Ｉ／Ｐ変換部から出力されたプログレッシブ方式の映像信号とサブピクチャまたはＯＳＤ（オンスクリーンディスプレイ）表示用の映像信号を合成する。Ｐ／Ｉ変換部はプログレッシブ方式の映像信号をインターレース方式の映像信号に変換して出力する。この映像信号処理装置は、プログレッシブ方式とインターレース方式の両映像信号を出力する構成になっている。
【０００４】
また特許文献２には、ＡＴＶ（Ａｄｖａｎｃｅｄ  Ｔｅｌｅｖｉｓｉｏｎ）方式、ＮＴＳＣ（Ｎａｔｉｏｎａｌ  Ｔｅｌｅｖｉｓｉｏｎ  Ｓｙｓｔｅｍ  Ｃｏｍｍｉｔｅｅ）方式、レターボックス型ＥＤＴＶ（Ｅｘｔｅｎｔｅｄ  Ｄｅｆｉｎｉｔｉｏｎ  Ｔｅｌｅｖｉｓｉｏｎ）方式、ＨＤＴＶ（Ｈｉｇｈ  ｄｅｆｉｎｉｔｉｏｎ  Ｔｅｌｅｖｉｓｉｏｎ）方式の各放送方式間の方式変換などが開示してあり、またその方式変換に伴うＩ／Ｐ変換、Ｐ／Ｉ変換などが開示されている。
しかしながら、これらの特許文献１，２では、例えば従来のアナログ放送信号とこのアナログ信号が他の方式に変換されたプログレッシブ方式の映像信号に対してモード判別する機能は備えていない。
また、撮影時の映像信号がＳＤ信号で、このＳＤ信号が走査線変換されてプログレッシブ方式の映像信号として入力されると、高画質とみなして画像改善のための画像処理は再度行わないため、特にＩ／Ｐ変換器を備えていないデジタル放送に対応したテレビジョン受像機で再生された画像は地上アナログ放送の画像より劣化するという問題がある。
【特許文献１】特開２００３−３４８４４６号公報
【特許文献２】特開平７−１６２８１０号公報
【発明の開示】
【発明が解決しようとする課題】
【０００５】
本発明は上記問題に鑑みてなされたものであり、その目的はインターレース方式で撮影されたテレビプログラムが走査線変換されたプログレッシブ方式の映像信号として入力された場合に当該入力信号をＰ／Ｉ変換し、画像処理した後Ｉ／Ｐ変換することにより高画質化を図るとともに、テレビジョン受像機に内蔵されたＩ／Ｐ変換器よりも外部のＩ／Ｐ変換の方が優れている場合は、切り替え手段で外部のＩ／Ｐ変換に切り替えることができるように、ユーザーが選択できるようにすることである。
【課題を解決するための手段】
【０００６】
本発明のテレビジョン受像機は、走査線変換器を有するテレビジョン受像機において、入力映像信号を第１の走査線方式から第２の走査線方式に変換する第１の走査線変換器と、上記第１の走査線変換器で上記第２の走査線方式に変換された映像信号が供給され、輝度信号と色信号の信号処理を行う信号処理部と、上記信号処理部から供給された映像信号を上記第１の走査線方式の映像信号に変換する第２の走査線変換器と、上記入力映像信号のフォーマットと該入力映像信号の撮影時におけるフォーマットを識別して、上記撮影時のフォーマットが上記第２のフォーマットで上記入力映像信号が上記第１のフォーマットのとき、上記第１と第２の走査線変換器と上記信号処理部の動作を制御する制御手段とを有する。
【０００７】
本発明の画像処理方法は、フォーマット変換の複数の処理方法の一つを選択するステップと、上記フォーマット変換処理が選択された結果、自動変換動作のとき入力映像信号のフォーマットを識別するステップと、上記フォーマットを識別した結果、上記フォーマットが上記第１のフォーマットのとき、電子情報ガイドを参照し、上記入力映像信号に対応する撮影時の映像信号のフォーマットを識別するステップと、上記撮影時の映像信号のフォーマットを識別した結果、上記フォーマットが第２のフォーマットのとき、上記第１のフォーマットから第２のフォーマットに変換する処理がなされるよう制御するステップと、上記第２のフォーマットに変換された映像信号を上記第１のフォーマットに変換する変換処理を含む高画像化処理されるよう制御するステップとを有する。
【発明の効果】
【０００８】
本発明は、インターレース方式で撮影されたＳＤ信号がプログレッシブ方式にアップコンバートされたＨＤ信号に対し、テレビジョン受像機に備えられたＰ／Ｉ変換、Ｉ／Ｐ変換を利用することを実現し、ユーザーにとって最も適切な走査線フォーマットを選択することができるとともに、常に最良の画質で視聴することができる。
【発明を実施するための最良の形態】
【０００９】
以下、この発明による処理の実施形態例を、地上波を用いたデジタルテレビ放送波用のテレビジョン受像機の場合を例にとって図を参照しながら説明する。
図１に本発明の第１の実施形態例のテレビジョン受像機のブロック構成を示す。
【００１０】
テレビジョン受像機１００は、デジタルチューナー１２、ＡＶ−ＳＷ（Ａｕｄｉｏ・Ｖｉｄｅｏ  Ｓｗｉｔｃｈ；音声、映像切り替スイッチ）１３、Ｐ／Ｉ（プログレッシブ／インターレース）変換器１４、クロマデコーダー１５，１５ａ、映像信号処理回路（倍速、ＩＰ変換）１６、多画面生成回路１７、パネルドライバ１８、音声信号処理回路（オーディオプロセッサ）１９、（音声信号用）アンプ２０、不揮発性メモリー２１、ＴＶ用マイクロコンピュータ２２、フロントキー２３、赤外線受光部２４、ＩＩＣ（Ｉｎｔｅｒ  ＩＣ）バス２５などで構成される。
【００１１】
Ｕ／Ｖアンテナ１０は、地上波のＶＨＦ，ＵＨＦ周波数のチャンネルを受信する。地上波デジタル放送の場合は、ＵＦＨ周波数の特定のチャンネルが設定されていて、このＵ／Ｖアンテナ１０を介して各チャンネルに対応する高周波信号を受信する。
デジタルチューナー付外部機器１１は、例えばチューナー付のハードディスクレコーダーなどがあり、チューナーを介して受信した信号をデスクに記録し、また再生する。
デジタルチューナー１２は、地上デジタルテレビ用チューナーの例として、不図示の、チューナー部、復調部、誤り訂正部などで構成されるチューナーモジュール、デスクランブル部、トランスポート・デコーダ（ＤｅＭＵＸ；Ｄｅ−ｍｕｌｔｉｐｌｅｘｅｒ）、復号化処理部（ＡＶデコード、データ処理）などで構成されている。
【００１２】
不図示のチューナーモジュールは、フロントエンド信号処理とも称され、希望周波数のチャンネルを選局し、変調波を復調し、誤り訂正の処理、フレームの再編成やエネルギーの逆拡散処理を行う。
不図示のデスクランブル（鍵）部は、有料放送などにスクランブルを掛けて伝送された信号を、受信するためにスクランブルを解除するデスクランブルと称する処理を行う。
トランスポート・デコーダは、送信側で映像信号、音声信号、データ信号等の複数のストリームが多重化されたＴＳから、所定のストリームを取り出す処理を行う。
不図示の復号化処理部（ＡＶデコード、データ処理）は、トランスポート・デコーダで抽出された、映像信号、音声信号、データ信号の復号を行う。これらの信号は、ＭＰＥＧ（Ｍｏｔｉｏｎ  Ｐｉｃｔｕｒｅ  Ｅｘｐｅｒｔ  Ｇｒｏｕｐ）規格で符号化された信号を、ＭＰＥＧ規格に従って復号化（デコード）される。
【００１３】
ＡＶＳＷ（音声、映像切り替えスイッチ）１３は、デジタルチューナー１２または外部ビデオ入力端子１１から入力された複数の映像と音声がユーザーの選択に応じて切り替えが行われ、選択された映像と音声が出力される。
【００１４】
Ｐ／Ｉ変換器１４は、フィールド判別回路や走査線間引回路などで構成されるとともに、ＡＶ−ＳＷ１３から出力され、走査線がプログレッシブフォーマットの映像信号をインターレースフォーマットの映像信号に変換（ダウンコンバート）する。
【００１５】
クロマデコーダー１５，１５ａは、黒レベル補正、Ｙ／Ｃ分離（輝度信号、色信号分離）回路などで構成され、Ｐ／Ｉ変換器１４から供給されたコンポジットビデオ信号を輝度信号、色信号に分離する。
【００１６】
映像信号処理回路（倍速、ＩＰ変換）１６は、ガンマ補正回路、ホワイトバランス回路、マトリックス回路、動き検出回路、ラインメモリー、フィールドメモリー、倍速変換回路などで構成され、輝度信号はガンマ補正処理等が行われ、色信号はホワイトバランスの調整が行われた後、色差信号が生成される。
また、映像信号処理回路（倍速、ＩＰ変換）１６はインターレース方式の映像信号をプログレッシブ方式の映像信号（アップコンバート）に変換する。このとき、走査線の速度は入力映像信号の走査線の２倍の速さに変換される。
【００１７】
多画面生成回路１７は、同期信号回路、フレームメモリー、メモリー制御回路、映像処理回路などで構成され、多チャンネルの映像信号を同一画面に分割表示し、またメニュー等の文字情報を映像信号に重畳表示するための画像処理を行い、パネルドライバ(ビデオプロセッサ)１８でＣＲＴ（Ｃａｔｈｏｄｅ  Ｒａｙ  Ｔｕｂｅ）や液晶表示パネル、プラズマ表示パネル等を駆動するためのＲ，Ｇ，Ｂ信号を生成する。また、ＴＶマイクロコンピュータ２２からＩＩＣバス２５を介して転送された制御信号により制御され、ピクチャーや明るさ等の制御や、画歪みの補正を行う。
【００１８】
パネルドライバ１８は、たとえば液晶表示パネル、ＣＲＴなどを駆動するための回路で構成され、多画面生成回路１７から出力された信号に伴い、分割画面や文字情報を同時に表示するための駆動信号を生成する。
【００１９】
オーディオプロセッサ１９、（音声信号用）アンプ２０は、入力された音声信号の信号処理を行い、音量、バランス、音質を調整して出力する。この後、音声信号はアンプ２０で増幅され、スピーカーに出力する。
【００２０】
不揮発性メモリー２１はアプリケーションプログラムやシステムプログラムなどが記憶され、このプログラムを用いて、ＴＶマイクロコンピュータ２２から出力されたコマンドで各ブロックの動作を制御する。
【００２１】
ＴＶマイクロコンピュータ２２はＩＩＣバス２５を介して、デジタルチューナー１２、ＡＶ−ＳＷ１３、クロマデコーダー１５，１５ａ、映像信号処理回路（倍速、ＩＰ変換）１６、多画面生成回路１７、パネルドライバ１８、オーディオプロセッサ１９、アンプ２０に接続される。このＴＶマイクロコンピュータ２２はフロントキー２３から入力されたコマンドにより、不揮発性メモリー２１に記憶されたプログラムに従って所定のアプリケーションプログラムが動作テレビジョン受像機１００内の信号経路を確定し、画像処理、音声信号処理、その他の機能が実行される。
【００２２】
赤外線受光部２４は、受光素子に赤外線受光素子が設けられ、例えばリモコン（リモートコントローラ）から送信された赤外光の制御信号を受信し、その制御信号をＴＶマイクロコンピュータに出力する。これにより、デジタルチューナー１２、ＡＶ−ＳＷ１４、クロマデコーダー１５，１５ａ、多画面生成回路１７、パネルドライバ１８、オーディオプロセッサ１９、アンプ２０を制御して、チャンネル選択、ＡＶ−ＳＷの切り替え、フォーマットの選択、映像信号処理、音声信号処理などを行う。
【００２３】
次に、図１に示した地上デジタル放送用のＴＶ（テレビジョン）受像機１００の動作について説明する。
Ｕ／Ｖアンテナ１０で受信したＲＦ（Ｒａｄｉｏ  Ｆｒｅｑｕｅｎｃｙ）信号をデジタルチューナー１２で受信し復調された映像信号（コンポジットビデオ信号は、ＡＶ−ＳＷ１３に入力される。デジタルチューナー付外部機器１１から出力されたコンポジットビデオ信号は、外部ビデオ入力端子からＡＶ−ＳＷ１３に入力される。
ＡＶ−ＳＷ１３はＴＶマイクロコンピュータ２２からＩＩＣバス２５を介して転送されたコマンドにより制御され、表示装置に映すべき入力映像信号を選択し、コンポジットビデオ信号を出力する。また、オーディオプロセッサ１９に出力すべき音声信号を選択して出力する。
ＡＶ−ＳＷ１３から供給されたコンポジットビデオ信号がプログレッシブ方式のコンポジットビデオ信号のとき、Ｐ／Ｉ変換器１４により、インターレース方式の映像信号に変換され、クロマデコーダー１５に出力される。
クロマデコーダー１５で、輝度信号、色信号に分離され、さらに映像信号処理回路１６で輝度信号と色信号に関する信号処理が行われ、高画質化の信号処理が行われた後に多画面生成回路１７へ出力される。多画面生成回路１７で、映像信号処理回路１６やクロマデコーダー１５ａから出力された映像信号を選択してそれぞれ独立した領域に多画面表示するための画像処理や、親画面中に子画面を重畳表示するための画像処理を行い、パネルドライバ(ビデオプロセッサ)１８でＣＲＴや液晶パネルディスプレイを駆動するためのＲ，Ｇ，Ｂ信号が生成される。  
また、多画面生成回路１７は、ＴＶマイクロコンピュータ２２からＩＩＣバス２５を介して転送された制御信号により制御され、ピクチャーや、明るさ等の制御や、画歪みの補正を行う。
オーディオプロセッサ１９は、ＴＶマイクロコンピュータ２２からＩＩＣバス２５を介して転送された制御信号により制御され、音声信号の音量、バランス、音質を調整して出力する。このあと音声信号はアンプ２０で増幅され、スピーカーに出力される。
【００２４】
図１に示すテレビジョン受像機１００において、映像信号処理回路（倍速、ＩＰ変換）１６は、親画面の信号経路であるクロマデコーダー１５の後段に設けられ、子画面の信号経路であるクロマデコーダー１５ａの後段には設けられていない。
しかしながら、本発明の変形例として、クロマデコーダー１５ａと多画面生成回路１７の間に新たに第２の映像信号処理回路（倍速、ＩＰ変換）１６ａを設けても良い。
その結果、多画面表示において、表示される複数の画面とも倍速、Ｉ／Ｐ変換された画像信号が表示され、いずれも高品質の画像が得られる。
【００２５】
上述した信号処理において、ユーザーからの選局などの制御情報はリモコン、フロントキー２３によりＴＶマイクロコンピュータ２２に入力され、ＩＩＣバス２５等を介して各種制御を実行する。また、不揮発性メモリー２１にはＴＶマイクロコンピュータ２２が各種制御に必要な情報が格納される。
【００２６】
以上は標準的な信号経路であるが、本発明ではＳＤフォーマットで撮影された映像信号であって、走査線をプログレッシブ方式に変換（アップコンバート）した変換フォーマットの映像信号に対する高画質化を実現する。ここで述べているＰ／Ｉ変換器１３は、入力されたプログレッシブ方式のコンポジットビデオ信号をただ間引きすることにより奇数フィールドおよび奇数フィールドのインターレース方式の映像信号を生成するだけの回路で良いのでシステムは安価に構築できる。
【００２７】
次に、テレビジョン受像機１００の全体の動作を制御するＴＶマイクロコンピュータ２２の動作について、図２に示すフローチャートを用いて説明する。
図２は、ユーザー設定による制御動作に関するフローチャートである。
【００２８】
ユーザーは、リモコン操作によりメニュー画面の選択が可能とされており、このメニュー画面の一つの項目として走査線変換処理に関するＨＤリクリエーションがある。このＨＤリクリエーションがステップＳＴ−１において選択されると、図３に示すように、ＴＶモニターなどの表示画面上に走査線変換処理モードに関するＨＤリクリエーションの選択メニューが表示され、ユーザーが最初に表示画面上に表示されたＡＵＴＯ（自動）またはＯＦＦボタンを選択して処理モードを選択する。
ＡＵＴＯボタンが選択されるとステップＳＴ−２に遷移する。
また、表示画面上のメニューのＯＦＦボタンがユーザーによって選択されると、ＳＤフォーマットで撮影され、プログレッシブ方式に変換された変換ファーマットであってもＰ／Ｉ変換（ダウンコンバート）は行わない（ステップＳＴ−６）。これは外部機器や放送局側のアップコンバートの方が好まれる場合を想定している。
【００２９】
ステップＳＴ−２において、入力された映像信号の走査線方式（モード）を判別する。モードを判別した結果、入力された映像信号がＨＤフォーマットでないときステップＳＴ−６に遷移しＰ／Ｉ変換は行わず、一方、ＨＤフォーマットのとき、ステップＳＴ−３に遷移する。
【００３０】
ステップＳＴ−３において、ＥＰＧ（Ｅｌｅｔｒｏｎｉｃ  Ｐｒｏｇｕｒａｍ  Ｇｕｉｄｅ）から撮影時の映像信号のフォーマットに関する情報を取得する。
実際にそのテレビプログラムが撮影時においてＳＤフォーマットであってプログレッシブに変換された変換フォーマットであるか、あるいは撮影時からＨＤフォーマットであるかは、ＥＰＧ（Ｅｌｅｃｔｒｏｎｉｃ  Ｐｒｏｇｒａｍ  Ｇｕｉｄｅ；電子情報ガイド）から取得できるのでユーザー設定が自動（ＡＵＴＯ）の時は自動的にテレビジョン受像機（１００）側がＰ／Ｉ変換器を使用するかどうか判断することになる。
【００３１】
ステップＳＴ−４において、取得したＥＰＧ情報からＳＤフォーマットで撮影された映像信号ではないとき、ステップＳＴ−６に遷移しＰ／Ｉ変換を行なわないよう制御する。また取得したＥＰＧ情報からＳＤフォーマットで撮影された映像信号のときには、ステップＳＴ−５に遷移する。
なお、ＥＰＧ取得により撮影された映像信号がＳＤフォーマットかＨＤフォーマットであるかの判別が誤動作することも考えられるので、図３に示す表示画面上のＨＤリクリエーションに関するメニューにＯＮボタンを設けてユーザーがこれ選択することにより、Ｐ／Ｉ変換を手動設定できるようにしてもよい。
ステップＳＴ−５において、制御動作は以下のように行われる。
【００３２】
入力された映像信号がＳＤフォーマットで撮影されたものであるときは、ＡＶ−ＳＷ１３に入力されるとともにＰ／Ｉ変換器１４、クロマデコーダー１５、映像信号処理回路（倍速、ＩＰ変換）１６で信号処理されるよう制御され、さらに多画面生成回路１７に入力されて画面表示のための画像処理が行われた後、パネルドライバ１８に出力される。  
【００３３】
図４〜図６に示すテレビジョン受像機１００の動作条件は、図３に示した表示画面上に表示されたＨＤリクリエーションメニューで入力映像信号の種々のフォーマットに対する画像信号処理を自動（ＡＵＴＯ）に選択したときに対応する。
図４には、ＨＤフォーマットで撮影された映像信号を受信したとき、地上デジタル放送用のテレビジョン受像機（１００）内の信号処理経路を示す。
これらの信号処理経路の設定は、図２に示すフローチャートに従い入力信号のフォーマットを判別した結果に基づいて、ＴＶマイクロコンピュータ２２からＩＩＣバス２５を介して各ブロックに制御信号が転送されて制御される。
この信号処理は、図２のフローチャートのステップＳＴ−２において、入力された映像信号がＨＤフォーマットであって、さらにステップＳＴ−４において、撮影時の映像信号がＳＤフォーマットで無い条件に相当する（ステップＳＴ−６）。上述したように、このときはＰ／Ｉ変換器１４を通さず、Ｐ／Ｉ変換処理は行わない。
即ち、図４は、入力される映像信号がＨＤフォーマットのときの信号経路を示す。
この入力される映像信号は、デジタルチューナー１２から復調された映像信号であっても良く、またデジタルチューナー付外部機器１１から出力されたＨＤフォーマットの映像信号であっても良い。
【００３４】
入力される映像信号（ＨＤソース）は、もともとＨＤフォーマットで撮影された信号であり、ＡＶ−ＳＷ１３に入力されたのち、Ｐ／Ｉ変換器１４を経由することなく、クロマデコーダー１５に供給され、クロマデコーダー１５でコンポジットビデオ信号を輝度信号、色信号に分離する。クロマデコーダー１５で信号処理された後、多画面生成回路１７に入力される。
この場合、撮影時の映像信号がＨＤフォーマットであるので、改めて映像信号処理回路（倍速、ＩＰ変換）１６で信号処理する必要は無く、映像信号処理回路（倍速、ＩＰ変換）１６をスルーした後、多画面生成回路１７に入力される。
多画面生成回路１７で映像信号の重畳表示、多画面表示するための信号処理を行い、パネルドライバ(ビデオプロセッサ)１８でＣＲＴ（Ｃａｔｈｏｄｅ  Ｒａｙ  Ｔｕｂｅ）やパネルを駆動するためのＲ，Ｇ，Ｂ信号を生成する。また、ＴＶマイクロコンピュータ２２からＩＩＣバス２５を介して転送された制御信号によりピクチャーや、明るさ等の制御や、画歪みの補正を行う。多画面生成回路１７で処理された映像信号はパネルドライバ１８に供給され、表示画面上に複数の分割画面を表示したり、また文字画像を重畳した画像を表示したりする。
またこれと平行してＡＶ−ＳＷ１４から出力された音声信号は、オーディオプロセッサ１９、（音声信号用）アンプ２０に入力され、音量、バランス、音質を調整されて出力される。
【００３５】
このように、ＨＤフォーマットで撮影された映像信号が図１に示すテレビジョン受像機１００で受信されときは、改めて画質向上のための画像信号処理を行う必要はない。
なお、Ｐ／Ｉ変換器１４を経由しないとは、具体的には、電子スイッチなどが用いられてＰ／Ｉ変換器１４への入力が切り替えられるとともにＰ／Ｉ変換器１４からの出力が切り替えられることにより本来、Ｐ／Ｉ変換器１４に入力される映像信号が次段のクロマデコーダー１５に直接入力されることを意味している。映像信号処理回路１６をスルーするのも、同様の信号処理を意味する。
【００３６】
次に、図５には、テレビジョン受像機１００に他の入力映像信号フォーマットが入力された時の動作について説明する。
図５における入力映像信号は、ＳＤフォーマットで撮影された映像信号であり、インターレース方式の映像信号である。そのときの映像信号の信号（処理）経路に従って動作の説明をする。このときの動作は図２のフローチャートのステップＳＴ−２、ＳＴ−６に対応する。
映像信号は、ＡＶ−ＳＷ１３に入力され、そこで所定のビデオ信号と音声信号に切り替えられ、映像信号はクロマデコーダー１５に出力され、音声信号は音声信号処理回路（オーディオプロセッサ）１９にそれぞれ出力される。
ＳＤフォーマットで撮影された映像信号は既にインターレース方式であるため、Ｐ／Ｉ変換（ダウンコンバート）をする必要はないので、ＡＶ−ＳＷ１３からの映像信号は、Ｐ／Ｉ変換器１４を経由することなく、クロマデコーダー１５に入力される。
クロマデコーダー１５で、ＡＶ−ＳＷ１３から供給されたコンポジットビデオ信号は輝度信号、色信号に分離される。クロマデコーダー１５で信号処理された後、映像信号処理回路（倍速、ＩＰ変換）１６で、輝度信号はガンマ補正処理等を行い、また色信号はホワイトバランス調整、色差信号の変換処理が行われる。この信号処理された輝度、色信号はＩ／Ｐ変換処理または倍速変換（アップコンバート）され、画質を向上させて多画面生成回路１７に出力される。多画面生成回路１７で、選択された映像信号を表示または重畳表示のための画像処理が行われ、パネルドライバ１８でＣＲＴやパネルを駆動するためのＲ，Ｇ，Ｂ信号を生成する。
ＴＶマイクロコンピュータ２２からＩＩＣバス２５により制御されピクチャーや、明るさ等の制御や、画歪みの補正を行う。多画面生成回路１７で処理された信号はパネルドライバ１８に供給され、表示画面上に選択チャンネルの画像や複数の分割画面を表示したり、また文字画像を同時に表示したりする。
またこれらの動作と平行してＡＶ−ＳＷ１３から出力された音声信号は、オーディオプロセッサ１９、アンプ２０に入力され、音量、バランス、音質を調整して出力される。
【００３７】
上述したＳＤフォーマットで撮影されたプログラムを受信したときのテレビジョン受像機１００の各ブロックの接続構成、動作は、ＴＶマイクロコンピュータ２２により制御される。
入力された映像信号のＨＤリクリエーションメニューでＡＵＴＯを選択したとき、フォーマットを判別し、ＳＤフォーマットと判別した結果に基づき、ＴＶマイクロコンピュータ２２から出力された制御信号により各機能ブロックが制御され、信号処理経路が決定される。
【００３８】
このように、テレビジョン受像機１００に入力される信号がＳＤフォーマットで撮影された映像信号のときは元々インターレース方式であるので、Ｐ／Ｉ変換器１３でＰ／Ｉ変換する必要はなく、クロマデコーダー１５に入力される。しかし、図４のＨＤフォーマットのときと異なり、撮影時の映像信号そのものがＨＤソースと比較して画質が劣るので、映像信号処理回路（倍速、ＩＰ変換）１６でＩＰ変換して、画質を向上させる。
【００３９】
図６には、ＳＤフォーマットで撮影され、その後プログレッシブ方式に変換されたＨＤ信号が入力された場合におけるテレビジョン受像機１００の信号処理経路を示す。図６における入力映像信号と図５に示した入力映像信号は撮影されたフォーマットはいずれもＳＤフォーマットで同じであるが、プログレッシブ方式に変換されたＨＤ信号であることが異なる。
【００４０】
このようにプログレッシブ方式に変換されたＨＤ信号が入力されたとき、ＴＶマイクロコンピュータ２２により制御信号がＩＩＣバス２５を介して各回路ブロックに供給される。その結果、デジタルチューナー付外部機器１１またはデジタルチューナー１２の出力はＡＶ−ＳＷ１３に接続される。
ＡＶ−ＳＷ１３の出力はＰ／Ｉ変換器１４に供給され、このＰ／Ｉ変換器１４の出力はクロマデコーダー１５とオーディオプロセッサ１９に供給される。クロマデコーダー１５の出力は映像信号処理回路（倍速、Ｉ／Ｐ変換）１６に供給され、この映像信号処理回路（倍速、Ｉ／Ｐ変換）１６の出力は多画面生成回路１７に供給され、多画面生成回路１７の出力はパネルドライバ１８に供給される。
さらに、オーディオプロセッサ１９の出力はアンプ２０に供給され、オーディオ信号が出力される。
【００４１】
フロントキー２３または赤外線受光部２４からＴＶマイクロコンピュータ２２にコマンドが送信され制御信号が生成される。この制御信号がＩＩＣバス２５を介して各機能ブロックに転送され、たとえばデジタルチューナー１２では受信されたＴＶチャンネルから特定のチャンネルが選局され、変換されたＨＤ信号が復調されてＰ／Ｉ変換器１４に供給される。
または、デジタルチューナー付外部機器１１において、記録、再生または復調されたＳＤソースでプログレッシブ方式に変換されたＨＤ信号が復調された後Ｐ／Ｉ変換器１４に出力される。
ユーザーからのＴＶチャンネルの選局以外の制御情報もフロントキー２３、リモコンにより、ＴＶマイクロコンピュータ２２に入力され、ＩＩＣバス２５等を介して、各種制御を実行する。
【００４２】
変換されたＨＤ信号がＰ／Ｉ変換器１４に入力されると、奇数ラインの走査線から奇数フィールドの映像信号を出力し、偶数ラインの走査線から偶数フィールドの映像信号を出力することによりプログレッシブ信号をインターレース信号に変換する。このとき、Ｐ／Ｉ変換器１４の出力は入力されたプログレッシブ信号の１／２倍の速さで出力する。
すなわち、ＨＤ信号であるにも係わらず、ＳＤフォーマットを単にプログレッシブ方式に変換した映像信号であるため、供給される信号はそのまま各高画質化の信号処理回路（デバイス）をスルーすると画質が悪い可能性があるため、一度Ｐ／Ｉ変換器１４にてインターレース方式の映像信号に変換（ダウンコンバート）する。
【００４３】
インターレース方式にダウンコンバートされた映像信号はクロマデコーダー１５に出力され、クロマデコーダー１５では、上述したように、コンポジットビデオ信号を輝度信号、色信号にＹ／Ｃ分離する。
クロマデコーダー１５で信号処理された後、インターレース方式にダウンコンバートされた映像信号は映像信号処理回路（倍速、ＩＰ変換）１６に入力され、輝度信号はガンマ補正処理等が行われ、色信号はホワイトバランス調整され、そして色差信号が生成される。
輝度信号、色信号の画像処理が行われた後Ｉ／Ｐ変換処理が行われる。奇数フィールドの場合、奇数ラインはそのラインを２倍の速さで出力し、偶数ラインはこの偶数ラインの前後の奇数ラインを用いて補間して２倍の速さで出力する。偶数フィールドの場合、偶数ラインを２倍の速さで出力し、奇数ラインをこのラインの前後のラインを用いて補間して２倍の速さで出力する。
Ｉ／Ｐ変換の方法は、上述したＰ／Ｉ変換方法に限定されるものではなく、前フィールド走査線補間、前後走査線補間、平均ライン走査線補間などによって変換されても良い。
Ｉ／Ｐ変換処理（または倍速変換）されて画質が向上したプログレッシブフォーマットの映像信号は多画面生成回路１７に供給される。
多画面生成回路１７で、例えば複数のＴＶチャンネルの映像信号を分割表示、映像信号に文字情報を重畳するための信号処理が行われ、Ｒ，Ｇ，Ｂ信号が生成されパネルドライバ１８に出力される。
【００４４】
このとき、ＴＶマイクロコンピュータ２２から出力された制御信号は、ＩＩＣバス２５を介してオーディオプロセッサ１９、アンプ２０に転送され、これらの動作を制御し、ユーザーが希望する表示画面の映像画像、文字情報などに対応した音声の信号処理を行い、アンプ２０を介してスピーカー等に出力する。
【００４５】
上述したように、ＨＤフォーマットで撮影されたＨＤ信号のときは、Ｐ／Ｉ変換処理やＩ／Ｐ変換処理等の画像信号処理を行う必要はなく、ＳＤフォーマットで撮影されたＳＤ信号のときはＰ／Ｉ変換処理しないで、Ｉ／Ｐ変換処理して画質を向上し、またＳＤフォーマットで撮影されたのちにプログレッシブ方式に変換された変換フォーマットの映像信号のとき、Ｐ／Ｉ変換処理、映像信号処理、Ｉ／Ｐ変換処理を行うことにより各映像信号の走査線フォーマットに応じて高画質の映像を生成することができる。
【００４６】
図７に本発明の第２の実施形態例である多画面表示用の地上デジタル放送用のテレビジョン受像機２００の構成を示す。ここで、図７に示すテレビジョン受像機２００において、図１と同じブロックは同一の番号を付与する。
テレビジョン受像機２００は図１の構成とほぼ同じであるが、ＡＶ−ＳＷ１３の前段に備え付けられたＰ／Ｉ変換器を省略して、その代わりにクロマデコーダー１５，１５ａの後段にＰ／Ｉ変換、画像処理、Ｉ／Ｐ変換処理する機能を供えた映像信号処理回路（Ｐ／Ｉ，Ｉ／Ｐ）１６，１６ａを備えている。
また、クロマデコーダー１５ａの出力に、Ｐ／Ｉ変換、画像処理、Ｉ／Ｐ変換処理する機能を有する映像信号処理回路（Ｐ／Ｉ，Ｉ／Ｐ）１６ａを備えても良い。
【００４７】
次に、テレビジョン受像機２００の動作について説明する。説明を簡単にするために、デジタルチューナー付外部機器１１とデジタルチューナー１２のそれぞれから出力される映像信号が同じＳＤ信号またはＨＤ信号で、かつ撮影時の映像信号のフォーマットも同じＳＤソースまたはＨＤソースであるときの動作を説明する。
図７に示す多画面用のテレビジョン受像機２００の信号経路は、入力される映像信号が例えばＳＤ信号（インターレース）またはＨＤ信号（プログレッシブ）で、かつ撮影時の映像信号のフォーマットがＳＤソース（またはインターレース）、ＨＤソース（またはプログレッシブ）に応じて決定される。
第１と第２のＴＶチャンネルの映像信号がＨＤソースとＨＤ信号のときは、図４と同様な信号経路になるようにＴＶマイクロコンピュータ２２により制御され、上述した映像信号処理回路（Ｉ／Ｐ、Ｐ／Ｉ変換）１６，１６ａを介さず、クロマデコーダー１５（または同時に１５ａ）から出力された映像信号は多画面生成回路１７に入力され、上述した図４の動作と同じ動作を行いパネルドライバ２１８に出力される。
第１と第２のＴＶチャンネルの映像信号がＳＤソースでＳＤ入力信号のときの信号経路は、図５に同じ経路となるようにＴＶマイクロコンピュータ２２により制御され、クロマデコーダー１５，１５ａから出力された第１と第２のチャンネルに対応する映像信号は映像信号処理回路（Ｉ／Ｐ、Ｐ／Ｉ変換）１６，１６ａに供給され、画像処理、Ｉ／Ｐ変換処理されて、多画面生成回路１７に出力される。
多画面生成回路１７で、同一画面に複数のチャンネルの映像信号を構成するように画像処理され、パネルドライバ１８に出力される。
次に、第１と第２のＴＶチャンネルの映像信号がＳＤソースでＨＤ入力信号のときは、図６に示した信号経路と同じ信号経路となるようにＴＶマイクロコンピュータ２２により制御され、第１と第２のチャンネルから出力された映像信号はクロマデコーダー１５，１５ａに入力され、輝度信号と色信号に分離された後、各チャンネルに対応する映像信号処理回路（Ｉ／Ｐ，Ｐ／Ｉ変換）１６，１６ａにそれぞれ供給され、チャンネル毎にＩ／Ｐ変換処理、画像処理、Ｐ／Ｉ変換処理され、多画面生成回路１７に出力される。
多画面生成回路１７で、複数のチャンネルの映像信号を同一画面に分割表示するように画像処理され、パネルドライバ１８に出力される。
【００４８】
この様に、多画面表示用のテレビジョン受像機２００においても、図１のテレビジョン受像機１００と同様に、多画面の各画像を高品質にして表示することができる。
またこの変形例のとして、図７のテレビジョン受像機２００の映像信号処理回路（Ｐ／Ｉ，Ｉ／Ｐ変換）１６ａを省略して、クロマデコーダー１５ａの出力を直接多画面生成回路２１７に接続しても良い。
クロマデコーダー１５にＳＤソース、ＨＤ信号が入力され、高画質表示のための画像処理が行われる。また、ＨＤソース、ＨＤ信号がクロマデコーダー１５に入力されるときは、クロマデコーダー１５で信号処理され多画面生成回路１７に出力される。一方、ＳＤソース、ＳＤ信号が入力され、かつ高品質の映像を表示する必要が無いとき、ＳＤ信号をクロマデデコーダー１５ａに入力して通常の画質処理を行いその映像を表示しても良い。
【００４９】
上述したように、本発明において、ユーザーがＨＤリクリエーションを自動（ＡＵＴＯ）に選択したときには、ＳＤフォーマットで撮影され、プログレッシブフォーマットにアップコンバートされた信号に対してＰ/Ｉ変換によりインターレース信号に変換することで、テレビジョン受像機に備えられたＩ／Ｐ変換を含む高画質処理を施すことができるため高画質化でき、もともとＨＤソースのＨＤフォーマットの信号に対しては、もともと高画質であるため、Ｉ／Ｐ変換を含む高画質処理がなされないように制御されるので、ユーザーにとって常に最良の画質で視聴することができる。
すなわち、入力映像信号のフォーマットにかかわらず、撮影時の映像信号がＳＤフォーマット、ＨＤフォーマットのいずれであっても、高画質の映像を生成することができる。
【図面の簡単な説明】
【００５０】
【図１】本発明のテレビジョン受像機のブロック構成を示す図である。
【図２】テレビジョン受像機の動作を説明するためのフローチャートである。
【図３】ＴＶモニターに表示されたフォーマット選択メニュー画面を示す図である。
【図４】図１に示したテレビジョン受像機の動作を説明するための信号経路を示す図である。
【図５】図１に示したテレビジョン受像機の動作を説明するための信号経路を示す図である。
【図６】図１に示したテレビジョン受像機の動作を説明するための信号経路を示す図である。
【図７】本発明の他のテレビジョン受像機のブロック構成を示す図である。
【符号の説明】
【００５１】
１０…Ｕ／Ｖアンテナ、１１…デジタルチューナー付外部機器、１２…デジタルチューナー、１３…ＡＶ−ＳＷ（オーディオ・ビデオ切り替スイッチ）、１４…Ｐ／Ｉ（プログレッシブ・インターレース）変換器、１５，１５ａ…クロマデコーダー、１６，１６ａ…映像信号処理回路（倍速、ＩＰ変換）、１７…多画面生成回路、１８…パネルドライバ、１９…オーディオプロセッサ（音声信号処理回路）、２０…アンプ、２１…不揮発性メモリー、２２…ＴＶ（テレビジョン）マイクロコンピュータ、２３…フロントキー、２４…赤外線受光部、１００，２００…テレビジョン受像機。
【図１】
2008099091.tif 000003
【図２】
2008099091.tif 000004
【図３】
2008099091.tif 000005
【図４】
2008099091.tif 000006
【図５】
2008099091.tif 000007
【図６】
2008099091.tif 000008
【図７】
2008099091.tif 000009